【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
液晶ディスプレーの駆動回路であって、
シーケンス制御器と、前記シーケンス制御器に接続される第1のデータ駆動チップおよび第2のデータ駆動チップと、前記第1のデータ駆動チップおよび前記第2のデータ駆動チップにそれぞれ接続される参照電圧バッファーと、を備え、
前記シーケンス制御器は、受信した低電圧差分信号を復号してデータ表示信号とシーケンス制御信号とを生成し、前記シーケンス制御信号に基づいて、前記データ表示信号を第1のデータ表示信号と第2のデータ表示信号とに分け、前記第1のデータ表示信号を前記第1のデータ駆動チップに送信し、前記第2のデータ表示信号を前記第2のデータ駆動チップに送信し、前記シーケンス制御信号をそれぞれ前記第1のデータ駆動チップと前記第2のデータ駆動チップとに送信し、
前記参照電圧バッファーは、第1の参照電圧と第2の参照電圧とを生成し、前記第1の参照電圧を前記第1のデータ駆動チップに送信し、前記第2の参照電圧を前記第2のデータ駆動チップに送信し、
前記第1のデータ駆動チップと前記第2のデータ駆動チップとは、フレームを間隔として液晶ディスプレーパネルの同一画素に対して交替駆動を行い、
前記第1のデータ駆動チップは、前記第1の参照電圧と前記シーケンス制御信号とに基づいて、前記第1のデータ表示信号を処理して、負極性画素電圧信号を生成して前記液晶ディスプレーパネルに出力し、
前記第2のデータ駆動チップは、前記第2の参照電圧と前記シーケンス制御信号とに基づいて、前記第2のデータ表示信号を処理して、正極性画素電圧信号を生成して前記液晶ディスプレーパネルに出力し、
前記負極性画素電圧信号は、前記液晶ディスプレーパネルの共通電圧信号よりも低く、
前記正極性画素電圧信号は、前記液晶ディスプレーパネルの共通電圧信号よりも高く、
前記シーケンス制御器は、低電圧差分信号受信モジュールと、前記低電圧差分信号受信モジュールに接続されるデータ表示信号転送モジュールおよびシーケンス制御信号転送モジュールと、前記データ表示信号転送モジュールに接続される第1のデータ駆動チップ転送モジュールおよび第2のデータ駆動チップ転送モジュールと、を備え、
前記低電圧差分信号受信モジュールは、低電圧差分信号を受信し、前記低電圧差分信号を復号してデータ表示信号とシーケンス制御信号とを生成し、前記データ表示信号をデータ表示信号転送モジュールに送信し、前記シーケンス制御信号を前記シーケンス制御信号転送モジュールに送信し、
前記シーケンス制御信号転送モジュールは、前記シーケンス制御信号を前記データ表示信号転送モジュールに送信するとともに、前記シーケンス制御信号を前記第1のデータ駆動チップと前記第2のデータ駆動チップとに転送し、
前記データ表示信号転送モジュールは、前記シーケンス制御信号に基づいて、前記データ表示信号を第1のデータ表示信号と第2のデータ表示信号とに分け、前記第1のデータ表示信号を前記第1のデータ駆動チップ転送モジュールに送信し、前記第2のデータ表示信号を前記第2のデータ駆動チップ転送モジュールに送信し、
前記第1のデータ駆動チップ転送モジュールは、前記第1のデータ表示信号を前記第1のデータ駆動チップに転送し、
前記第2のデータ駆動チップ転送モジュールは、前記第2のデータ表示信号を前記第2のデータ駆動チップに転送することを特徴とする液晶ディスプレーの駆動回路。
【請求項２】
前記第1のデータ駆動チップは、第1のデータ表示信号受信器と、前記第1のデータ表示信号受信器に接続される第1のデータラッチと、前記第1のデータラッチに接続される第1の抵抗型デジタル/アナログ変換器と、前記第1の抵抗型デジタル/アナログ変換器に接続される第1の出力バッファーと、前記第1の出力バッファーに接続される第1の出力スイッチと、を備え、
前記第2のデータ駆動チップは、第2のデータ表示信号受信器と、前記第2のデータ表示信号受信器に接続される第2のデータラッチと、前記第2のデータラッチに接続される第2の抵抗型デジタル/アナログ変換器と、前記第2の抵抗型デジタル/アナログ変換器に接続される第2の出力バッファーと、前記第2の出力バッファーに接続される第2の出力スイッチと、を備えることを特徴とする請求項１に記載の液晶ディスプレーの駆動回路。
【請求項３】
前記液晶ディスプレーパネルの極性反転方式は、点反転駆動方式、列反転駆動方式、または行反転駆動方式であることを特徴とする請求項２に記載の液晶ディスプレーの駆動回路。
【請求項４】
液晶ディスプレーの駆動方法であって、
シーケンス制御器が、受信した低電圧差分信号を復号してデータ表示信号とシーケンス制御信号とを生成するステップ1と、
前記シーケンス制御器が、前記シーケンス制御信号に基づいて、前記データ表示信号を第1のデータ表示信号と第2のデータ表示信号とに分け、前記第1のデータ表示信号を第1のデータ駆動チップに送信し、前記第2のデータ表示信号を第2のデータ駆動チップに送信し、前記シーケンス制御信号をそれぞれ前記第1のデータ駆動チップと前記第2のデータ駆動チップとに送信するステップ2と、
前記第1のデータ駆動チップと前記第2のデータ駆動チップとが、フレームを間隔として液晶ディスプレーパネルの同一画素に対して交替駆動を行い、前記第1のデータ駆動チップが、参照電圧バッファーが提供した第1の参照電圧と前記シーケンス制御信号とに基づいて、前記第1のデータ表示信号を処理し、負極性画素電圧信号を生成して前記液晶ディスプレーパネルに出力し、前記第2のデータ駆動チップが、参照電圧バッファーが提供した第2の参照電圧と前記シーケンス制御信号とに基づいて、前記第2のデータ表示信号を処理し、正極性画素電圧信号を生成して前記液晶ディスプレーパネルに出力するステップ3と、を含み、
前記負極性画素電圧信号は、前記液晶ディスプレーパネルの共通電圧信号よりも低く、
前記正極性画素電圧信号は、前記液晶ディスプレーパネルの共通電圧信号よりも高く、
前記シーケンス制御器は、低電圧差分信号受信モジュールと、前記低電圧差分信号受信モジュールに接続されるデータ表示信号転送モジュールおよびシーケンス制御信号転送モジュールと、前記データ表示信号転送モジュールに接続される第1のデータ駆動チップ転送モジュールおよび第2のデータ駆動チップ転送モジュールと、を備え、
前記低電圧差分信号受信モジュールは、低電圧差分信号を受信し、前記低電圧差分信号を復号してデータ表示信号とシーケンス制御信号とを生成し、前記データ表示信号をデータ表示信号転送モジュールに送信し、前記シーケンス制御信号を前記シーケンス制御信号転送モジュールに送信し、
前記シーケンス制御信号転送モジュールは、前記シーケンス制御信号を前記データ表示信号転送モジュールに送信するとともに、前記シーケンス制御信号を前記第1のデータ駆動チップと前記第2のデータ駆動チップとに転送し、
前記データ表示信号転送モジュールは、前記シーケンス制御信号に基づいて、前記データ表示信号を第1のデータ表示信号と第2のデータ表示信号とに分け、前記第1のデータ表示信号を前記第1のデータ駆動チップ転送モジュールに送信し、前記第2のデータ表示信号を前記第2のデータ駆動チップ転送モジュールに送信し、
前記第1のデータ駆動チップ転送モジュールは、前記第1のデータ表示信号を前記第1のデータ駆動チップに転送し、
前記第2のデータ駆動チップ転送モジュールは、前記第2のデータ表示信号を前記第2のデータ駆動チップに転送することを特徴とする液晶ディスプレーの駆動方法。
【請求項５】
前記ステップ3は、
前記第1のデータ駆動チップが、前記第1の参照電圧に基づいて、前記第1のデータ表示信号に対してデジタル/アナログ変換を行って前記負極性画素電圧信号を生成し、前記第1のデータ駆動チップが、前記シーケンス制御信号に基づいて、前記負極性画素電圧信号を前記液晶ディスプレーパネルに出力し、前記第2のデータ駆動チップが、前記第2の参照電圧に基づいて、前記第2のデータ表示信号に対してデジタル/アナログ変換を行って前記正極性画素電圧信号を生成し、前記第2のデータ駆動チップが、前記シーケンス制御信号に基づいて、前記正極性画素電圧信号を前記液晶ディスプレーパネルに出力するステップを含むことを特徴とする請求項４に記載の液晶ディスプレーの駆動方法。
【請求項６】
前記シーケンス制御信号が、極性反転信号を含み、前記第1のデータ駆動チップが、前記シーケンス制御信号に基づいて、前記負極性画素電圧信号を前記液晶ディスプレーパネルに出力することは、前記液晶ディスプレーパネルのある行のゲートラインがターンオンされた時に、前記第1のデータ駆動チップが、前記極性反転信号に基づいて、液晶ディスプレーパネルのデータラインの前記第1のデータ駆動チップに対するオン/オフを制御し、オンされたデータラインを介してこのオンされたデータラインに対応する画素に前記負極性画素電圧信号を出力することを含み、
前記第2のデータ駆動チップが、前記シーケンス制御信号に基づいて、前記正極性画素電圧信号を前記液晶ディスプレーパネルに出力することは、前記液晶ディスプレーパネルのある行のゲートラインがターンオンされた時に、前記第2のデータ駆動チップが、前記極性反転信号に基づいて、液晶ディスプレーパネルのデータラインの前記第2のデータ駆動チップに対するオン/オフを制御し、オンされたデータラインを介してこのオンされたデータラインに対応する画素に前記正極性画素電圧信号を出力することを含むことを特徴とする請求項５に記載の液晶ディスプレーの駆動方法。
【請求項７】
前記液晶ディスプレーパネルの極性反転方式は、点反転駆動方式、列反転駆動方式、または行反転駆動方式であることを特徴とする請求項４〜６のいずれか1項に記載の液晶ディスプレーの駆動方法。